(57)【要約】【課題】  本発明の目的は、動画撮影の映像を途切れさせることなく、フレームレートの変更を行うことのできるデジタルカメラを提供することである。【解決手段】  本発明のデジタルカメラ（１１〜１７，１９〜３２）は、動画撮影中に、動画データ取得のフレームレートを変更可能とする制御手段（１１）を備える。【選択図】  図１
2010050784.tif 000002
【特許請求の範囲】
【請求項１】
動画撮影中に、動画データ取得のフレームレートを変更可能とする制御手段を備える
ことを特徴とするデジタルカメラ。
【請求項２】
請求項１に記載のデジタルカメラにおいて、
前記制御手段は、前記動画撮影中に、前記フレームレートの現在値に基づく残り撮影可能時間の情報をリアルタイム表示する
ことを特徴とするデジタルカメラ。
【請求項３】
請求項１または請求項２に記載のデジタルカメラにおいて、
前記制御手段は、前記動画撮影中に、前記フレームレートの変更値の候補を表示すると共に、前記候補の中から前記フレームレートの変更値をユーザーに選択させる
ことを特徴とするデジタルカメラ。
【請求項４】
請求項１ないし請求項３の何れか一項に記載のデジタルカメラにおいて、
前記制御手段は、前記動画撮影中に、前記フレームレートの変更値の候補毎に、前記フレームレートを該変更値に変更した場合の残り撮影可能時間の情報をリアルタイム表示する
ことを特徴とするデジタルカメラ。
【請求項５】
請求項１ないし請求項４の何れか一項に記載のデジタルカメラにおいて、
前記制御手段は、変更前の前記フレームレートにより取得した前記動画データと、変更後の前記フレームレートにより取得した前記動画データとを識別可能に単一の動画ファイルへ記録する
ことを特徴とするデジタルカメラ。
【請求項６】
請求項１ないし請求項４の何れか一項に記載のデジタルカメラにおいて、
前記制御手段は、変更前の前記フレームレートにより取得した前記動画データと、変更後の前記フレームレートにより取得した前記動画データとを、それぞれ異なる動画ファイルへ記録する
ことを特徴とするデジタルカメラ。
【発明の詳細な説明】
【技術分野】
【０００１】
本発明は、動画撮影が可能なデジタルカメラについて、特に、動画撮影中に、フレームレートを変更することができるデジタルカメラに関する。
【背景技術】
【０００２】
従来、例えば、特許文献１に開示されるように、画像の記録先となる記録媒体の残容量に基づく画像の残り撮影可能枚数を撮影者などのユーザーへ表示することで、記録媒体の残容量不足による撮影失敗の発生を防止しようとするデジタルカメラが知られている。
【０００３】
また、動画撮影時に記録媒体の残容量が少なくなると、画像を記録できないことをユーザーに警告して、途中で撮影を停止するデジタルカメラも一般によく知られている。
【特許文献１】特開２００３−２４４５８８号公報
【発明の開示】
【発明が解決しようとする課題】
【０００４】
ところで、スポーツを動画撮影する場合、良好な映像を得るためには、高めのフレームレートで撮影を行うのが望ましい。
【０００５】
しかし、従来のデジタルカメラでは、例えば野球のように試合が延長になることの多いスポーツを動画撮影する場合、高いフレームレートで撮影を行うと、記録媒体の残容量不足が発生し、試合の途中であるにもかかわらず撮影が停止してしまうことがあった。
【０００６】
他方、試合終了まで映像が途切れないように動画を撮影したいが、一番撮りたい肝心のシーン、例えば注目の選手がプレイするシーンが良好に撮影されていればよく、それ以外のシーンは、試合の流れが分かる程度に撮影されても構わないという場合も多い。
【０００７】
そのような場合に、試合の一番撮りたい肝心のシーンは高めのフレームレートで、一方、それ以外のシーンは低めのフレームレートで撮影することができれば、高いフレームレートで一律に撮影する場合と比べて、より長い時間動画撮影を行うことが可能になる。
【０００８】
しかし、従来のデジタルカメラでは、フレームレートを変更するには動画撮影を一旦停止する必要があった。このため、フレームレートを変更する場合には、映像を途切れさせてしまっていた。
【０００９】
本発明は、上記従来技術の課題を解決するためのものである。本発明の目的は、動画撮影の映像を途切れさせることなく、フレームレートの変更を行うことのできるデジタルカメラを提供することである。
【課題を解決するための手段】
【００１０】
第１の発明のデジタルカメラは、動画撮影中に、動画データ取得のフレームレートを変更可能とする制御手段を備える。
【００１１】
第２の発明は、第１の発明において、制御手段が、動画撮影中に、フレームレートの現在値に基づく残り撮影可能時間の情報をリアルタイム表示する。
【００１２】
第３の発明は、第１または第２の発明において、制御手段が、動画撮影中に、フレームレートの変更値の候補を表示すると共に、候補の中からフレームレートの変更値をユーザーに選択させる。
【００１３】
第４の発明は、第１ないし第３の発明の何れか一の発明において、制御手段が、動画撮影中に、フレームレートの変更値の候補毎に、フレームレートを当該変更値に変更した場合の残り撮影可能時間の情報をリアルタイム表示する。
【００１４】
第５の発明は、第１ないし第４の発明の何れか一の発明において、制御手段が、変更前のフレームレートにより取得した動画データと、変更後のフレームレートにより取得した動画データとを識別可能に単一の動画ファイルへ記録する。
【００１５】
第６の発明は、第１ないし第４の発明の何れか一の発明において、制御手段が、変更前のフレームレートにより取得した動画データと、変更後のフレームレートにより取得した動画データとを、それぞれ異なる動画ファイルへ記録する。
【発明の効果】
【００１６】
本発明では、動画撮影中に、動画データ取得のフレームレートを変更することができる。
【００１７】
従って、本発明を利用すれば、動画撮影の映像を途切れさせることなく、フレームレートの変更を行うことができる。
【発明を実施するための最良の形態】
【００１８】
以下、本発明の実施形態を説明する。本実施形態は、デジタルカメラの実施形態である。
【００１９】
図１は、本実施形態のデジタルカメラの構成を示すブロック図である。
【００２０】
カメラ本体１００は、動画撮影機能を有するデジタルカメラである。
【００２１】
カメラ本体１００の各ブロックの動作は、制御回路１１によって統括制御される。制御回路１１は、所定のプログラムを実行することにより、デジタルカメラが行う撮影などの各種の動作を制御する。
【００２２】
ＲＯＭ１２には、制御回路１１によって実行される各種のプログラムや、プログラムの実行に必要となるデータなどが予め格納される。
【００２３】
バッファメモリ１３は、画像データや音声データの一時記憶領域などとして使用される。このバッファメモリ１３は、ＳＤＲＡＭ等によって構成される。
【００２４】
なお、これらＲＯＭ１２及びバッファメモリ１３は、バス１４を介して制御回路１１と接続される。
【００２５】
操作部材１５は、モードダイヤル、撮影ボタン、メニューボタン、ＯＫボタン、十字キー、キャンセルキーなどを含む。操作部材１５は、撮影者等のユーザーが行う部材操作の内容に応じた操作信号を制御回路１１へ送る。制御回路１１は、その操作信号に基づいて、カメラ本体１００の各部を制御し、例えば、レンズ駆動制御、撮影動作制御、画像処理制御、画像データの記録制御、画像データの表示制御などを行う。
【００２６】
なお、モードダイヤルは、静止画撮影モード、動画撮影モード、画像再生モードなどのデジタルカメラの動作モードを選択するための操作部材である。
【００２７】
また、撮影ボタンは、撮影を指示するための操作部材である。撮影ボタンは、前記の動画撮影モードにおいては、動画撮影の開始（スタート）／停止（ストップ）ボタンとして機能し、また静止画撮影モードにおいては、通常のレリーズボタンとして機能する。この撮影ボタンは、半押し時にＯＮとなるスイッチのＳＷ１と、全押し時にＯＮとなるスイッチのＳＷ２とを有する二段ストローク式のスイッチで構成される。
【００２８】
また、メニューボタンは、表示装置１６の画面上にメニュー画面を表示させる指示を行うための操作部材である。
【００２９】
また、ＯＫボタンは、メニュー画面などにおいて、選択した項目の内容の確定や実行などを指示するための操作部材である。
【００３０】
また、十字キーは、例えば、メニュー画面などにおいては、その画面から所望の項目を選択するために、画面上に表示されるカーソルを、上、下、左、右の各方向へ移動させる指示を行うための操作部材である。
【００３１】
また、キャンセルキーは、十字キーによる項目の選択を取り消したり、操作の状態を１つ前に戻すなどの指示を行うための操作部材である。
【００３２】
表示装置１６は、カラー表示可能なＬＣＤディスプレイ等で構成されている。
【００３３】
表示装置１６は、撮影時には、画角等の確認用の電子ファインダーとして利用することができる。また、表示装置１６は、ユーザインターフェース用の表示画面としても利用される。その場合、表示装置１６には、必要に応じて、メニューや選択項目、設定内容などの各種の情報が表示される。
【００３４】
記録インターフェース（Ｉ／Ｆ）１７には、記録媒体１８を接続するためのコネクタが形成されている。記録Ｉ／Ｆ１７は、そのコネクタに接続された記録媒体１８にアクセスして、動画や静止画の画像データの書き込みや読み出しを行う。
【００３５】
制御回路１１は、この記録Ｉ／Ｆ１７を介して、動画や静止画の画像データを記録媒体１８へ記録する。なお、記録媒体１８は、半導体メモリを内蔵したメモリカードや、小型のハードディスクなどである。
【００３６】
次に、カメラ本体１００の撮影に係るブロックについて説明する。
【００３７】
操作部材１５のモードダイヤルによって動画又は静止画撮影モードが選択されると、ＣＣＤ固体撮像素子（以下、単に、ＣＣＤと呼ぶ。）１９を含む撮像部に電源が供給される。これにより、カメラ本体１００は、撮影が可能な状態となる。
【００３８】
レンズユニット２０は、撮影レンズと絞り兼用シャッターとを含む光学ユニットである。レンズユニット２０は、制御回路１１により制御されるレンズ駆動回路２１によって駆動され、ズーム制御、フォーカス制御及びアイリス制御が行われる。
【００３９】
レンズユニット２０を通過した被写体光は、ＣＣＤ１９の受光面に結像される。なお、ＣＣＤ１９の受光面には、多数のフォトダイオード（受光素子）が二次元状に配列されると共に、各フォトダイオードに対応して、赤（Ｒ）、緑（Ｇ）、青（Ｂ）の原色カラーフィルタが所定の配列構造（ベイヤー、Ｇストライプなど）で配置されている。これにより、ＣＣＤ１９が出力する信号には、Ｒ、Ｇ、Ｂの３種類の成分が含まれることになる。また、ＣＣＤ１９は、各フォトダイオードの電荷蓄積時間を制御する電子シャッター機能を有している。制御回路１１は、タイミングジェネレータ（ＴＧ）２２を介して、ＣＣＤ１９の電荷蓄積時間の制御を行う。
【００４０】
なお、カメラ本体１００では、ＣＣＤ１９に代えて、ＭＯＳ型など他の方式の撮像素子を用いることもできる。
【００４１】
ＣＣＤ１９の受光面に形成された被写体像は、各フォトダイオードによって入射光量に応じた量の信号電荷に変換されて蓄積される。ここで、ＣＣＤ１９の各フォトダイオードに蓄積された信号電荷を画像信号（信号電荷に応じた電圧信号）として読み出すには、制御回路１１は、ＴＧ２２を駆動する。この駆動により、各フォトダイオードに蓄積された信号電荷は、ＴＧ２２から与えられる駆動パルスに基づき、所定のフレームレート（例えば、３０ｆｐｓなど）で、画像信号として順次読み出される。
【００４２】
ＣＣＤ１９から順次出力される画像信号（ＲＧＢ信号）は、信号処理回路２３により、ＣＤＳ（相関二重サンプリング）、増幅（ゲイン調整）、Ａ／Ｄ変換などの信号処理が施された後に、デジタル信号の画像データとして画像入力回路２４へ出力される。
【００４３】
なお、信号処理回路２３は、そのゲイン調整の調整量（増幅率）を制御回路１１からの指令に基づき設定し、それによってＩＳＯ感度に相当する撮影感度の調整を行う。
【００４４】
また、信号処理回路２３は、ＴＧ２２から与えられる駆動パルスに基づいて前記動作を行う。
【００４５】
画像入力回路２４は、入力されるデジタル信号のＲＧＢの画像データを、制御回路１１からの指令に従い、画像処理回路２５、ＡＥ／ＡＷＢ回路２７、ＡＦ回路２８へ出力する。
【００４６】
画像入力回路２４を介して画像処理回路２５に入力されるＲＧＢの画像データは、画像処理回路２５において、輝度信号（Ｙ信号）及び色差信号（Ｃｒ，Ｃｂ信号又はＵＶ信号）の画像データに変換される。また、変換後の画像データには、ガンマ補正、輪郭補正、ホワイトバランス補正等の所定の画像処理が画像処理回路２５によって施される。そして、その画像処理後の画像データは、画像処理回路２５によりバッファメモリ１３へ出力される。なお、このような画像処理回路２５での輝度／色差信号変換を含む画像処理は、制御回路１１の指令に従って行われる。
【００４７】
このようにして、１フレーム分の画像データが、順次バッファメモリ１３へ格納されて取得される。
【００４８】
ここで、画像データを表示装置１６へモニタ出力する場合、制御回路１１は、前述のように格納される画像データをバッファメモリ１３から順次読み出し、それをバス１４を介して表示制御回路２６へ出力する。そして、表示制御回路２６は、入力された画像データを表示用の所定方式の信号（例えば、ＮＴＳＣ方式の複合映像信号）に変換して表示装置１６へ出力する。
【００４９】
このように、バッファメモリ１３の画像データを基に生成される映像信号が表示装置１６へ出力されることで、被写体の映像がリアルタイムに表示装置１６に表示される。ユーザーは、この表示により撮影画角等を確認することができる（ライブビュー機能）。
【００５０】
操作部材１５の撮影ボタンが半押しされ、ＳＷ１がＯＮとなると、カメラ本体１００は、ＡＥ及びＡＦ動作を開始する。
【００５１】
具体的には、制御回路１１の指令に従い、ＡＥ／ＡＷＢ回路２７及びＡＦ回路２８が、ＣＣＤ１９から出力され画像入力回路２４を介して入力されるＲＧＢの画像データを基に、以下のようにＡＥ及びＡＦ動作を行う。
【００５２】
ＡＥ／ＡＷＢ回路２７は、入力される画像データの画面を複数のエリア（例えば、８×８）に分割し、分割エリアごとにＲＧＢ信号を積算すると、その積算値を制御回路１１に提供する。制御回路１１は、ＡＥ／ＡＷＢ回路２７から得た積算値に基づいて被写体の明るさ（被写体輝度）を検出すると共に、撮影の露出値（ＥＶ値）を算出する（ＡＥ演算）。また、制御回路１１は、算出したＥＶ値と所定のプログラム線図（ＲＯＭ１２に予め格納される）とに基づき、絞り値やシャッタースピードなどの露出条件を決定する。そして、制御回路１１は、その露出条件の下で、ＣＣＤ１９の電子シャッター機能及びレンズユニット２０のアイリス、信号処理回路２３のゲインなどを制御することで適正な露光量を得る。
【００５３】
また、ＡＥ／ＡＷＢ回路２７は、分割エリアごとにＲＧＢ信号の色別の平均積算値を算出し、その算出結果を制御回路１１に提供する。制御回路１１は、算出結果であるＲの積算値、Ｂの積算値、Ｇの積算値を得て、Ｒ／Ｇ及びＢ／Ｇの比を求めると共に、そのＲ／Ｇ及びＢ／Ｇの比の値と上述のＡＥ演算によるＥＶ値とに基づいてシーン判別（光源種の判別）を行う。そして、制御回路１１は、判別したシーンに対応する所定のホワイトバランス調整値に基づき、各比の値がおよそ１（つまり、１画面においてＲＧＢの積算比率がＲ：Ｇ：Ｂ≒１：１：１）となるようにホワイトバランス調整回路のアンプゲインを制御して各色チャネルの信号を補正する。
【００５４】
なお、シーン判別においては、上述したＲ／Ｇ及びＢ／Ｇの比の値に代えて、色差信号のＣｒ（Ｒ−Ｙ）及びＣｂ（Ｂ−Ｙ）の値などを用いてもよい。
【００５５】
カメラ本体１００が行うＡＦ制御には、例えば、画像データのＧ信号の高周波成分が極大になるように不図示のフォーカシングレンズ（撮影レンズを構成するレンズ光学系のうちのフォーカス調整用の移動レンズ）を移動させるコントラストＡＦが適用される。
【００５６】
よって、ＡＦ回路２８は、入力される画像データのＧ信号の高周波成分のみを通過させるハイパスフィルタ処理、絶対値化処理、画面内（例えば、画面中央部）に予め設定されているフォーカス対象エリア内の信号を切り出すＡＦエリア抽出処理を実行する。そして、ＡＦ回路２８は、それら処理の実行により抽出したＡＦエリア内の信号の絶対値を積算すると、その積算値を制御回路１１に提供する。制御回路１１は、レンズ駆動回路２１を駆動して、不図示のフォーカシングレンズを移動させながら、複数のＡＦ検出ポイントで焦点評価値（ＡＦ評価値）を演算すると共に、そのＡＦ評価値が極大となるレンズ位置を合焦位置として決定する。
【００５７】
このようなＡＦ制御により、フォーカシングレンズ（不図示）の焦点調節が行われる。
【００５８】
なお、ＡＦ評価値の演算には、画像データのＧ信号を利用する代わりに、輝度信号（Ｙ信号）を利用してもよい。
【００５９】
また、カメラ本体１００が行うＡＦ制御には、このような公知のコントラスト方式のＡＦに加えて、公知の瞳分割方式による位相差ＡＦを適用してもよい。もちろん、コントラスト方式のＡＦに代えて位相差ＡＦのみを適用してもよい。
【００６０】
操作部材１５の撮影ボタンが全押しされ、ＳＷ２がＯＮとなると、カメラ本体１００は、撮影動作を開始する。
【００６１】
制御回路１１は、静止画撮影時においては、全画素読み出しで１フレーム分の画像が取得されるようにＴＧ２２を駆動する。これによりＣＣＤ１９は、１フレーム分の画像信号を出力する。一方、動画撮影時においては、制御回路１１は、所定のフレームレートで画像が順次取得されるようにＴＧ２２を駆動する。これによりＣＣＤ１９は、画像信号をそのフレームレートに応じて順次出力する。
【００６２】
ＣＣＤ１９から出力される画像信号は、上述したように画像処理回路２５によって輝度／色差信号変換を含む画像処理が施された後に、バッファメモリ１３へ格納される。
【００６３】
バッファメモリ１３に格納された輝度／色差信号の画像データは、圧縮／伸張回路２９により所定の形式に従って圧縮処理された後、記録Ｉ／Ｆ１７を介して記録媒体１８へ記録される。静止画の撮影時には、バッファメモリ１３の画像データは、例えば、ＪＰＥＧ（Joint Photographic Experts Group）形式等に従って圧縮されて記録される。一方、動画の撮影時には、画像データは、例えば、ＭＰＥＧ（Moving Picture Experts Group）形式やモーションＪＰＥＧ形式等に従って圧縮されて記録される。
【００６４】
なお、画像処理回路２５での輝度／色差信号変換を含む画像処理及び圧縮／伸張回路２９での圧縮処理は、制御回路１１の指令に従って行われる。また、その圧縮処理後の画像データは、制御回路１１により記録Ｉ／Ｆ１７を介して記録媒体１８へ記録される。
【００６５】
カメラ本体１００は、動画撮影中には、所謂「山登り方式」の連続的なＡＦ（コンティニアスＡＦ）動作を行う。つまり、不図示のフォーカシングレンズを光軸に沿って前後方向に微小移動させて、焦点評価値（ＡＦ評価値）の増減をチェックしながら、ＡＦ評価値が極大となる点まで、徐々にフォーカシングレンズ（不図示）を移動させる。
【００６６】
また、動画撮影時には、マイク３０により音声が検出され、その検出信号（音声信号）が、Ａ／Ｄ変換器３１によりデジタル信号（音声データ）に変換されて、音声信号処理回路３２へ出力される。音声信号処理回路３２は、制御回路１１の指令に従って、入力の音声データを所定の形式に変換する。
【００６７】
このようにして生成された音声データは、音声信号処理回路３２によりバッファメモリ１３へ格納される。そして、音声データは、バッファメモリ１３の画像データと共に圧縮／伸張回路２９で圧縮処理された後に、記録Ｉ／Ｆ１７を介して記録媒体１８へ記録される。
【００６８】
また、動画撮影中に、もう一度、操作部材１５の撮影ボタンが半押し又は全押しされ、ＳＷ１がＯＮとなると、カメラ本体１００は、動画の撮影動作を停止する。
【００６９】
以下、本実施形態のデジタルカメラの動画撮影の動作を、図２の流れ図を参照して説明する。
【００７０】
図２のフローは、例えば、動画撮影モードが選択されている場合において、ユーザーが操作部材１５の撮影ボタンを全押しして、ＳＷ２がＯＮとなったときに実行される。
【００７１】
なお、この場合には、撮影ボタンが押下されてＳＷ１がＯＮ（半押し）となった時点で、制御回路１１によって上述したＡＥ及びＡＦ動作が行われている。
【００７２】
ステップ１０１：制御回路１１は、動画撮影のフレームレートを、デジタルカメラのデフォルト値又はユーザーが予めデジタルカメラに設定した値に設定する。ここでは、そのフレームレートは、例えば、６０ｆｐｓなどに設定される。
【００７３】
ステップ１０２：制御回路１１は、ステップ１０１で設定したフレームレートでＣＣＤ１９から画像信号を読み出すようにＴＧ２２を駆動する。
【００７４】
また、制御回路１１は、画像処理回路２５を駆動して、信号処理回路２３及び画像入力回路２４を介して順次入力される画像データ（ＣＣＤ１９からの画像信号がデジタル化されたもの）に対し輝度／色差信号変換を含む画像処理を施させる。この画像処理後の画像データは、順次バッファメモリ１３へ格納される。このようにバッファメモリ１３へ格納される画像データは、ステップ１０１で設定したフレームレートにより取得されたものである。
【００７５】
なお、これらの動作が行われている間、ＡＥ／ＡＷＢ回路２７、ＡＦ回路２８は、制御回路１１の指令に従い、信号処理回路２３及び画像入力回路２４を介して順次入力される画像データを基に上述したＡＥ及びＡＦ動作を行う。
【００７６】
そして、制御回路１１は、圧縮／伸張回路２９を駆動して、バッファメモリ１３に格納された輝度／色差信号の画像データを、例えばＭＰＥＧなどの動画記録用の形式で圧縮すると共に、圧縮処理後の画像データを、記録Ｉ／Ｆ１７を介して記録媒体１８へ記録する。このとき、圧縮処理後の画像データは、画像ファイル（動画ファイル）として記録媒体１８へ記録される。
【００７７】
ステップ１０３：制御回路１１は、記録媒体１８の画像データ記憶領域の空き容量情報を取得し、その空き容量情報とフレームレートの現在値とを基に、現行のフレームレートで画像データの記録を続けた場合における記録媒体１８の残り記録可能時間を算出する。
【００７８】
ステップ１０４：制御回路１１は、表示制御回路２６を駆動して、上述したデジタルカメラのライブビュー機能によって表示装置１６の画面に表示されるモニタ映像上に、ステップ１０３で算出した残り記録可能時間の情報を重畳表示する。この表示のイメージを図３に示す。図３では、左上の「残り撮影可能時間：」と表示された部分に、残り記録可能時間の「３分０３秒」との情報が表示されている。
【００７９】
ステップ１０５：制御回路１１は、ユーザーにより、もう一度、操作部材１５の撮影ボタンが半押し又は全押しされ、ＳＷ１がＯＮとなったか、即ち、動画撮影の終了が指示されたか否かを判定する。
【００８０】
制御回路１１は、動画撮影の終了が指示された場合にはステップ１１０へ移行し、一方、終了が指示されていない場合には、ステップ１０６へ移行する。
【００８１】
ステップ１０６：制御回路１１は、操作部材１５のフレームレート変更ボタンが押下されたか否かを判定する。
【００８２】
制御回路１１は、ボタンが押下された場合にはステップ１０７へ移行し、一方、押下されていない場合には、ステップ１０３へ移行する。
【００８３】
なお、動画撮影中は記録媒体１８に画像データが記録され続けるので、その記憶領域の空き容量も段々と減少してしまう。このため、ステップ１０３へ移行した場合に再度算出される残り記録可能時間は、先に算出された値よりも減少してしまう。その結果、表示装置１６の画面のモニタ映像上に表示される残り記録可能時間の情報は、動画撮影の進行と共にデクリメントされ続けることとなる。
【００８４】
ステップ１０７：制御回路１１は、表示制御回路２６を駆動して、上述したデジタルカメラのライブビュー機能によって表示装置１６の画面に表示されるモニタ映像上に、「フレームレート変更画面」を重畳表示する。この表示のイメージを図４に示す。なお、「フレームレート変更画面」は、動画撮影のフレームレートをユーザーに変更させるためのＧＵＩ画面である。ユーザーは、操作部材１５の十字キーを操作して「フレームレート変更画面」から変更を所望するフレームレートを選択すると共に、ＯＫボタンを押下してその選択を確定することで、制御回路１１に対してフレームレートの変更を指示することができる。
【００８５】
図４の「フレームレート変更画面」の例では、現行のフレームレートの６０ｆｐｓを、フレームレートの変更値の候補として表示された（１）３０ｆｐｓ、（２）１５ｆｐｓ、（３）５ｆｐｓ、（４）１ｆｐｓの何れかに変更することができる。
【００８６】
また、図４の例では、フレームレートを（１）〜（４）の何れかに変更した場合における、変更後の残り記録可能時間の情報が表示されている。例えば、現行のフレームレートの６０ｆｐｓを（１）３０ｆｐｓに変更した場合、変更後の残り記録可能時間は「６分００秒」となることが表示されている。つまり、現行のフレームレートの６０ｆｐｓをその半分の（１）３０ｆｐｓに変更すると、変更後には残り記録可能時間を「３分００秒」の２倍の「６分００秒」に延ばすことができる。
【００８７】
なお、図４は、現行のフレームレートが６０ｆｐｓの場合の例であるが、現行のフレームレートが、例えば、１５ｆｐｓの場合には、図５に示す「フレームレート変更画面」が表示される。図５の例では、現行のフレームレートの１５ｆｐｓを、その変更値の候補として表示された（１）６０ｆｐｓ、（２）３０ｆｐｓ、（３）５ｆｐｓ、（４）１ｆｐｓの何れかに変更することができる。
【００８８】
また、図４および図５の例における変更後の残り記録可能時間の表示は、動画撮影中は、その撮影の進行と共にデクリメントされ続ける。
【００８９】
ステップ１０８：制御回路１１は、ユーザーによりフレームレートの変更指示がされたか否かを判定する。
【００９０】
制御回路１１は、変更指示がされた場合にはステップ１０９へ移行し、一方、変更指示がされていない場合には、ステップ１０３へ移行する。
【００９１】
ステップ１０９：制御回路１１は、「フレームレート変更画面」においてユーザーが選択したフレームレートでＣＣＤ１９から画像信号を読み出すようにＴＧ２２を駆動する。これにより変更後のフレームレートにより取得された画像データが順次バッファメモリ１３へ格納される。
【００９２】
また、制御回路１１は、圧縮／伸張回路２９を駆動して、バッファメモリ１３に格納された画像データを、例えばＭＰＥＧなどの動画記録用の形式で圧縮する。
【００９３】
そして、制御回路１１は、その圧縮処理後の画像データを、記録媒体１８へ画像ファイル（動画ファイル）として記録する。
【００９４】
このとき、動画ファイルには、変更前のフレームレートにより取得された画像データ（フレームレート変更前の画像データ）と変更後のフレームレートにより取得された画像データ（フレームレート変更後の画像データ）との両方が記録される。このため、それらの識別用に、フレームレート変更前の画像データとフレームレート変更後の画像データとの境界位置を示す情報を、動画ファイルのヘッダ情報または当該境界領域部分などに記録しておく。このようにすれば、フレームレート変更前の画像データとフレームレート変更後の画像データとの両方が記録された単一の動画ファイルをデジタルカメラ外部のＰＣなどで再生等する場合に、フレームレートが異なる画像データの境界位置を識別することができるようになる。
【００９５】
なお、フレームレート変更前の画像データとフレームレート変更後の画像データとは、別の動画ファイルに記録するようにしてもよい。その場合、フレームレート変更前の画像データを動画ファイルＡに記録していたならば、フレームレート変更後の画像データは、新たに動画ファイルＢをオープンしてこれに記録するようにする。そして、動画ファイルＡは、フレームレート変更後の画像データが動画ファイルＢに記録され始めた後にクローズすればよい。
【００９６】
このように動画撮影のフレームレートを変更した後、制御回路１１は、動画撮影を継続するためにステップ１０３へ移行する。
【００９７】
ステップ１１０：制御回路１１は、動画の撮影動作を停止する（動画撮影終了）。
【００９８】
（実施形態の作用効果）
以下、本実施形態の作用効果を説明する。
【００９９】
本実施形態のデジタルカメラでは、撮影ボタンの押下により動画撮影の開始が指示されると、動画撮影のフレームレートが、カメラのデフォルト値又はユーザーが予め設定した値に設定され、設定されたフレームレートによりＣＣＤ１９からの画像データが順次取得される。なお、このように変更前のフレームレートにより取得される画像データは、ＭＰＥＧなどの動画記録用の形式で圧縮され、記録媒体１８へ動画ファイルとして記録される。
【０１００】
また、ユーザーによりフレームレート変更ボタンが押下されると、「フレームレート変更画面」が、デジタルカメラのライブビュー機能によって表示装置１６の画面に表示されるモニタ映像上に重畳表示される。なお、この表示の間、変更前のフレームレートにより取得される画像データは、ＭＰＥＧなどの動画記録用の形式で圧縮され、記録媒体１８の動画ファイルに続けて記録される。
【０１０１】
そして、ユーザーによりフレームレートの変更指示がされると、「フレームレート変更画面」においてユーザーが選択したフレームレートによりＣＣＤ１９からの画像データが順次取得される。なお、このように変更後のフレームレートにより取得される画像データは、ＭＰＥＧなどの動画記録用の形式で圧縮され、記録媒体１８の動画ファイルに記録される。
【０１０２】
従って、本実施形態のデジタルカメラによれば、動画撮影の映像を途切れさせることなく、フレームレートの変更を行うことができる。
【０１０３】
また、本実施形態のデジタルカメラでは、変更前のフレームレートにより取得された動画データと、変更後のフレームレートにより取得された動画データとが、識別可能に単一の動画ファイルへ、又はそれぞれ異なる動画ファイルへ記録される。このように、フレームレートの変更の前後で映像の途切れがない動画ファイルが作成される。
【０１０４】
従って、本実施形態のデジタルカメラによれば、動画撮影の映像を途切れさせることなく、フレームレートの変更を行うことができる。
【０１０５】
また、本実施形態のデジタルカメラでは、動画撮影中に、記録媒体１８の画像データ記憶領域の空き容量情報が取得され、その空き容量情報とフレームレートの現在値とを基に、現行のフレームレートで画像データの記録を続けた場合における記録媒体１８の残り記録可能時間が算出される。
【０１０６】
そして、算出された残り記録可能時間の情報が、デジタルカメラのライブビュー機能によって表示装置１６の画面に表示されるモニタ映像上に重畳表示される。なお、モニタ映像上においては、残り記録可能時間の情報は、「残り撮影可能時間」として表示される。この「残り撮影可能時間」として表示される残り記録可能時間の情報には、画像データが順次記録されることにより記録媒体１８の画像データ記憶領域の空き容量が減少する状況がリアルタイムに反映される。
【０１０７】
従って、本実施形態のデジタルカメラによれば、ユーザーは、フレームレートの変更の要否、また、その変更のタイミングを、確実かつ容易に判断することができる。
【０１０８】
また、本実施形態のデジタルカメラでは、動画撮影中に、ユーザーによりフレームレート変更ボタンが押下されると、「フレームレート変更画面」が、デジタルカメラのライブビュー機能によって表示装置１６の画面に表示されるモニタ映像上に重畳表示される。
【０１０９】
そして、「フレームレート変更画面」には、フレームレートの変更値の候補が表示されると共に、変更値の候補毎に、フレームレートを当該変更値に変更した場合の残り撮影可能時間の情報が表示される。なお、変更値の候補毎に表示される残り撮影可能時間の情報には、画像データが順次記録されることにより記録媒体１８の画像データ記憶領域の空き容量が減少する状況がリアルタイムに反映される。
【０１１０】
従って、本実施形態のデジタルカメラによれば、ユーザーは、フレームレートの変更値の選択を適切かつ容易に行うことができる。
【図面の簡単な説明】
【０１１１】
【図１】本発明の実施形態のデジタルカメラの構成を示すブロック図である。
【図２】デジタルカメラの動画撮影の動作を示す流れ図である。
【図３】記録可能時間情報の表示イメージを示す図である。
【図４】フレームレート変更画面の表示イメージ図（現行６０ｆｐｓの場合）である。
【図５】フレームレート変更画面の表示イメージ図（現行１５ｆｐｓの場合）である。
【符号の説明】
【０１１２】
１１…制御回路，１２…ＲＯＭ，１３…バッファメモリ，１４…バス，１５…操作部材，１６…表示装置，１７…記録インターフェース（Ｉ／Ｆ），１８…記録媒体，１９…ＣＣＤ固体撮像素子（ＣＣＤ），２０…レンズユニット，２１…レンズ駆動回路，２２…タイミングジェネレータ（ＴＧ），２３…信号処理回路，２４…画像入力回路，２５…画像処理回路，２６…表示制御回路，２７…ＡＥ／ＡＷＢ回路，２８…ＡＦ回路，２９…圧縮／伸張回路，３０…マイク，３１…Ａ／Ｄ変換器，３２…音声信号処理回路，１００…デジタルカメラ本体
【図１】
2010050784.tif 000003
【図２】
2010050784.tif 000004
【図３】
2010050784.tif 000005
【図４】
2010050784.tif 000006
【図５】
2010050784.tif 000007